(57)【特許請求の範囲】
【請求項１】
電子機器の動作電力を管理する動作電力管理装置において、
上記電子機器に接続され、該電子機器に上記動作電力を供給するバッテリパックと、
上記バッテリパックを、シングルセル実装とデュアルセル実装のうちの１つで、二者択一的に管理するバッテリコントローラとを備え、
上記バッテリコントローラは、当該バッテリコントローラをシングルセル実装で動作させる内部コントローラ電源を供給するチャージポンプを有し、
上記バッテリパックは、充電器と当該バッテリパックの１つ以上のバッテリセルとの間に直列に接続された充電スイッチ及び放電スイッチを有し、
上記バッテリコントローラは、充電増幅器及び放電増幅器に対して、負のチャージポンプ出力電圧を発生する内部負チャージポンプを有し、
上記充電増幅器と上記放電増幅器は、それぞれ上記充電スイッチと上記放電スイッチのうちの対応する１つを完全にターンオンできる十分に高められた電圧を発生することを特徴とする動作電力管理装置。
【請求項２】
上記バッテリコントローラは、上記バッテリパックのシングルセル実装又はデュアルセル実装のうちのいずれかで選択的に動作する１つの集積回路として実装されていることを特徴とする請求項１に記載の動作電力管理装置。
【請求項３】
上記電子機器は、上記バッテリパックから上記動作電力を得る携帯型電子カメラ機器であり、
上記バッテリコントローラは、上記バッテリパックに関する残りの動作電力の情報を、上記携帯型電子カメラ機器に提供することを特徴とする請求項１に記載の動作電力管理装置。
【請求項４】
上記バッテリパックのシングルセル実装は、１つのリチウムイオンバッテリセルを用いており、
上記バッテリパックのデュアルセル実装は、２つのリチウムイオンバッテリセルを用いていることを特徴とする請求項１に記載の動作電力管理装置。
【請求項５】
上記バッテリパックは、上記シングルセル実装における低下した電源電圧を上記バッテリコントローラに供給し、
上記チャージポンプは、上記シングルセル実装における上記低下した電源電圧を上昇させて、上記バッテリコントローラを動作させる上記内部コントローラ電源を生成し、
上記内部コントローラ電源は、上記シングルセル実装と上記デュアルセル実装の両方において略等しく、
上記チャージポンプは、上記内部コントローラ電源を適切に供給するためには、上記低下した電源電圧をどの程度上昇させる必要があるかによって、１倍、１．５倍又は２倍の倍率のいずれかで該低下した電源電圧を選択的に上昇させることを特徴とする請求項１に記載の動作電力管理装置。
【請求項６】
上記バッテリパックが、所定の閾値電圧レベルまで放電しているシャットダウンモードでは、該バッテリパックの漏洩電流は、０μＡであることを特徴とする請求項１に記載の動作電力管理装置。
【請求項７】
上記バッテリパックは、充電器と当該バッテリパックの１つ以上のバッテリセルとの間に直列に接続された充電スイッチ及び放電スイッチを有し、
上記充電スイッチは、上記バッテリセルの過充電状態を防止するために、上記バッテリコントローラのＣＰＵによって開かれることを特徴とする請求項１に記載の動作電力管理装置。
【請求項８】
上記バッテリパックは、充電器と当該バッテリパックの１つ以上のバッテリセルとの間に直列に接続された充電スイッチ及び放電スイッチを有し、
上記放電スイッチは、上記バッテリセルの過放電状態を防止するために、上記バッテリコントローラのＣＰＵによって開くことができることを特徴とする請求項１に記載の動作電力管理装置。
【請求項９】
上記内部負チャージポンプは、上記チャージポンプからのチャージポンプ出力電圧によってコンデンサを充電するために閉じられる第１の位相１スイッチ及び第２の位相１スイッチを有し、
上記内部負チャージポンプは、該内部負チャージポンプからの上記負のチャージポンプ出力電圧を上記充電増幅器と上記放電増幅器の両方に供給するために閉じられる第１の位相０スイッチ及び第２の位相０スイッチを有することを特徴とする請求項１に記載の動作電力管理装置。
【請求項１０】
上記バッテリパックは、充電器と当該バッテリパックの１つ以上のバッテリセルとの間に直列に接続された充電スイッチ及び放電スイッチを有し、
上記充電スイッチ及び上記放電スイッチは、上記充電器と上記バッテリパックの１つ以上のバッテリセルとの間の正充電経路に配置されたＰチャネル電界効果トランジスタであることを特徴とする請求項１に記載の動作電力管理装置。
【請求項１１】
上記バッテリパックは、充電器と当該バッテリパックの１つ以上のバッテリセルとの間に直列に接続された充電スイッチ及び放電スイッチを有し、
上記充電スイッチ及び上記放電スイッチは、上記充電器と上記バッテリパックの１つ以上のバッテリセルとの間の負充電経路に配置されたＮチャネル電界効果トランジスタであることを特徴とする請求項１に記載の動作電力管理装置。
【請求項１２】
上記バッテリパックは、上記シングルセル実装であり、
上記バッテリコントローラは、充電器が放電状態の上記バッテリパックに接続されている間は、該バッテリパックのスタートアップ手順を調整しており、該充電器と該バッテリパックとの間に接続された充電スイッチを閉じることを特徴とする請求項１に記載の動作電力管理装置。
【請求項１３】
上記充電スイッチは、上記充電器からの充電器電圧を、上記チャージポンプの充電器入力に送り、
上記チャージポンプは、上記チャージポンプ出力電圧を平滑化する充電器レギュレータに対して、所定の電圧レベルのチャージポンプ出力電圧を発生し、
上記充電器レギュレータは、上記バッテリコントローラのＣＰＵが上記バッテリパックの動作を制御するためのバッテリコントローラ命令の実行を開始できるように、上記内部コントローラ電源を生成することを特徴とする請求項１２に記載の動作電力管理装置。
【請求項１４】
上記ＣＰＵは、上記バッテリパックの充電スイッチを閉じて、上記バッテリセルの充電を開始し、
上記ＣＰＵは、ＣＰＳＥＬ線によって、上記チャージポンプの入力を、上記充電器入力からバッテリ入力に切り換え、
上記チャージポンプは、上記充電器レギュレータに対して、上記所定の電圧レベルのチャージポンプ出力電圧を発生し、
上記充電器レギュレータは、上記チャージポンプ出力電圧を平滑化して、上記内部コントローラ電源を上記バッテリコントローラに供給し、
上記チャージポンプは、上記バッテリパックの上記シングルセル実装に起因した低下したバッテリ出力電圧を補償することを特徴とする請求項１３に記載の動作電力管理装置。
【請求項１５】
上記バッテリパックは、上記バッテリコントローラの制御の下で、上記充電器によって、上記バッテリセルを充電し、
上記充電器は、上記電子機器が制限なく使用できるように、取り外され、該電子機器は、上記バッテリパックによって上記動作電力が供給されることを特徴とする請求項１４に記載の動作電力管理装置。
【請求項１６】
上記バッテリパックは、上記動作電力を上記電子機器に供給する間は、放電するので、上記バッテリコントローラのアナログ／デジタル変換器モジュールは、該バッテリパックのバッテリ電圧を監視し、
上記バッテリコントローラのＣＰＵは、上記バッテリパックのシャットダウン手順を制御しており、上記アナログ／デジタル変換器モジュールが所定の放電電圧レベルを検出したときに、該バッテリパックの放電スイッチを開くことを特徴とする請求項１に記載の動作電力管理装置。
【請求項１７】
上記ＣＰＵは、ＣＰＳＥＬ線を切り換えて、上記チャージポンプのバッテリ入力における上記バッテリパックのバッテリ電圧から、上記チャージポンプの充電器入力における上記充電器からの充電器電圧に切り換えることにより、上記内部コントローラ電源を生成し、
上記充電器が上記バッテリパックに接続されていない場合は、上記内部コントローラ電源は、リセット閾値以下に低下し、
上記充電器が上記バッテリパックに接続され、スタートアップ手順が上記バッテリコントローラによって実行されて、該バッテリパックが充電されるまでは、該バッテリパックは、シャットダウン状態に入ることを特徴とする請求項１６に記載の動作電力管理装置。
【請求項１８】
上記バッテリコントローラは、該バッテリコントローラを含む集積回路上の１つの送受信ピンを介して上記電子機器と通信する、該集積回路に組み込まれた汎用非同期送受信機（ＵＡＲＴ）を有し、
上記ＵＡＲＴは、上記バッテリコントローラの上記集積回路の利用可能な接続ピンを節約するシングルピンＵＡＲＴインタフェースをサポートしていることを特徴とする請求項１に記載の動作電力管理装置。
【請求項１９】
上記ＵＡＲＴは、上記バッテリコントローラを含む集積回路に組み込まれた高精度の命令発振器からタイムベース信号が供給され、
上記命令発振器は、上記ＵＡＲＴの動作を同期させるために、該ＵＡＲＴに対して、ＵＡＲＴクロック信号を正確に発生することを特徴とする請求項１８に記載の動作電力管理装置。
【請求項２０】
電子機器の動作電力を管理する動作電力管理方法において、
上記電子機器の動作電力を、該電子機器に接続されたバッテリパックから供給するステップと、
バッテリコントローラをシングルセル実装で動作させる内部コントローラ電源を供給するチャージポンプを備える該バッテリコントローラによって、上記バッテリパックをシングルセル実装とデュアルセル実装のうちの１つで、二者択一的に管理するステップとを有し、
上記バッテリパックは、充電器と上記バッテリパックの１つ以上のバッテリセルとの間に直列に接続された充電スイッチ及び放電スイッチを備え、
上記バッテリコントローラは、充電増幅器及び放電増幅器に対して負のチャージポンプ出力電圧を発生する内部負チャージポンプを備え、
上記充電増幅器と上記放電増幅器は、それぞれ上記充電スイッチと上記放電スイッチのうちの対応する１つを完全にターンオンできる十分に高められた電圧を発生することを特徴とする動作電力管理方法。
【請求項２１】
上記バッテリコントローラは、上記バッテリパックのシングルセル実装又はデュアルセル実装のうちのいずれかで選択的に動作する１つの集積回路として実装されていることを特徴とする請求項２０に記載の動作電力管理方法。
【請求項２２】
上記電子機器は、上記バッテリパックから上記動作電力を得る携帯型電子カメラ機器であり、
上記バッテリコントローラは、上記バッテリパックに関する残りの動作電力の情報を、上記携帯型電子カメラ機器に提供することを特徴とする請求項２０に記載の動作電力管理方法。
【請求項２３】
上記バッテリパックのシングルセル実装は、１つのリチウムイオンバッテリセルを用いており、
上記バッテリパックのデュアルセル実装は、２つのリチウムイオンバッテリセルを用いていることを特徴とする請求項２０に記載の動作電力管理方法。
【請求項２４】
上記バッテリパックは、上記シングルセル実装における低下した電源電圧を上記バッテリコントローラに供給し、
上記チャージポンプは、上記シングルセル実装における低下した電源電圧を上昇させて、上記バッテリコントローラを動作させる上記内部コントローラ電源を生成し、
上記内部コントローラ電源は、上記シングルセル実装と上記デュアルセル実装の両方において略等しく、
上記チャージポンプは、上記内部コントローラ電源を適切に供給するためには、上記低下した電源電圧をどの程度上昇させる必要があるかによって、１倍、１．５倍又は２倍の倍率のいずれかで該低下した電源電圧を選択的に上昇させることを特徴とする請求項２０に記載の動作電力管理方法。
【請求項２５】
上記バッテリパックが所定の閾値電圧レベルまで放電しているシャットダウンモードでは、該バッテリパックの漏洩電流は、０μＡであることを特徴とする請求項２０に記載の動作電力管理方法。
【請求項２６】
上記バッテリパックは、充電器と当該バッテリパックの１つ以上のバッテリセルとの間に直列に接続された充電スイッチ及び放電スイッチを備え、
上記充電スイッチは、上記バッテリセルの過充電状態を防止するために、上記バッテリコントローラのＣＰＵによって開かれることを特徴とする請求項２０に記載の動作電力管理方法。
【請求項２７】
上記バッテリパックは、充電器と当該バッテリパックの１つ以上のバッテリセルとの間に直列に接続された充電スイッチ及び放電スイッチを備え、
上記放電スイッチは、上記バッテリセルの過放電状態を防止するために、上記バッテリコントローラのＣＰＵによって開くことができることを特徴とする請求項２０に記載の動作電力管理方法。
【請求項２８】
上記内部負チャージポンプは、上記チャージポンプからのチャージポンプ出力電圧によってコンデンサを充電するために閉じられる第１の位相１スイッチ及び第２の位相１スイッチを備え、
上記内部負チャージポンプは、該内部負チャージポンプからの上記負のチャージポンプ出力電圧を上記充電増幅器と上記放電増幅器の両方に供給するために閉じられる第１の位相０スイッチ及び第２の位相０スイッチを備えることを特徴とする請求項２０に記載の動作電力管理方法。
【請求項２９】
上記バッテリパックは、充電器と当該バッテリパックの１つ以上のバッテリセルとの間に直列に接続された充電スイッチ及び放電スイッチを備え、
上記充電スイッチ及び上記放電スイッチは、上記充電器と上記バッテリパックの１つ以上のバッテリセルとの間の正充電経路に配置されたＰチャネル電界効果トランジスタであることを特徴とする請求項２０に記載の動作電力管理方法。
【請求項３０】
上記バッテリパックは、充電器と当該バッテリパックの１つ以上のバッテリセルとの間に直列に接続された充電スイッチ及び放電スイッチを備え、
上記充電スイッチ及び上記放電スイッチは、上記充電器と上記バッテリパックの１つ以上のバッテリセルとの間の負充電経路に配置されたＮチャネル電界効果トランジスタであることを特徴とする請求項２０に記載の動作電力管理方法。
【請求項３１】
上記バッテリパックは、上記シングルセル実装であり、
上記バッテリコントローラは、充電器が放電状態の上記バッテリパックに接続されている間は、該バッテリパックのスタートアップ手順を調整しており、該充電器と該バッテリパックとの間に接続された充電スイッチを閉じることを特徴とする請求項２０に記載の動作電力管理方法。
【請求項３２】
上記充電スイッチは、上記充電器からの充電器電圧を、上記チャージポンプの充電器入力に送り、
上記チャージポンプは、上記チャージポンプ出力電圧を平滑化する充電器レギュレータに対して、所定の電圧レベルのチャージポンプ出力電圧を発生し、
上記充電器レギュレータは、上記バッテリコントローラのＣＰＵが上記バッテリパックの動作を制御するためのバッテリコントローラ命令の実行を開始できるように、上記内部コントローラ電源を生成することを特徴とする請求項３１に記載の動作電力管理方法。
【請求項３３】
上記ＣＰＵは、上記バッテリパックの充電スイッチを閉じて、上記バッテリセルの充電を開始し、
上記ＣＰＵは、ＣＰＳＥＬ線によって、上記チャージポンプの入力を、上記充電器入力からバッテリ入力に切り換え、
上記チャージポンプは、上記充電器レギュレータに対して、上記所定の電圧レベルのチャージポンプ出力電圧を発生し、
上記充電器レギュレータは、上記チャージポンプ出力電圧を平滑化して、上記内部コントローラ電源を上記バッテリコントローラに供給し、
上記チャージポンプは、上記バッテリパックの上記シングルセル実装に起因した低下したバッテリ出力電圧を補償することを特徴とする請求項３２に記載の動作電力管理方法。
【請求項３４】
上記バッテリパックは、上記バッテリコントローラの制御の下で、上記充電器によって、上記バッテリセルを充電し、
上記充電器は、上記電子機器が制限なく使用できるように、取り外され、該電子機器は、上記バッテリパックによって上記動作電力が供給されることを特徴とする請求項３３に記載の動作電力管理方法。
【請求項３５】
上記バッテリパックは、上記動作電力を上記電子機器に供給する間は、放電するので、上記バッテリコントローラのアナログ／デジタル変換器モジュールは、該バッテリパックのバッテリ電圧を監視し、
上記バッテリコントローラのＣＰＵは、上記バッテリパックのシャットダウン手順を制御しており、上記アナログ／デジタル変換器モジュールが所定の放電電圧レベルを検出したときに、該バッテリパックの放電スイッチを開くことを特徴とする請求項２０に記載の動作電力管理方法。
【請求項３６】
上記ＣＰＵは、ＣＰＳＥＬ線を切り換えて、上記チャージポンプのバッテリ入力における上記バッテリパックのバッテリ電圧から、上記チャージポンプの充電器入力における上記充電器からの充電器電圧に切り換えることにより、上記内部コントローラ電源を生成し、
上記充電器が上記バッテリパックに接続されていない場合は、上記内部コントローラ電源は、リセット閾値以下に低下し、
上記充電器が上記バッテリパックに接続され、スタートアップ手順が上記バッテリコントローラによって実行されて、該バッテリパックが充電されるまでは、該バッテリパックは、シャットダウン状態に入ることを特徴とする請求項３５に記載の動作電力管理方法。
【請求項３７】
上記バッテリコントローラは、該バッテリコントローラを含む集積回路上の１つの送受信ピンを介して上記電子機器と通信する、該集積回路に組み込まれた汎用非同期送受信機（ＵＡＲＴ）を備え、
上記ＵＡＲＴは、上記バッテリコントローラの上記集積回路の利用可能な接続ピンを節約するシングルピンＵＡＲＴインタフェースをサポートしていることを特徴とする請求項２０に記載の動作電力管理方法。
【請求項３８】
上記ＵＡＲＴは、上記バッテリコントローラを含む集積回路に組み込まれた高精度の命令発振器からタイムベース信号が供給され、
上記命令発振器は、上記ＵＡＲＴの動作を同期させるために、該ＵＡＲＴに対して、ＵＡＲＴクロック信号を正確に発生することを特徴とする請求項３７に記載の動作電力管理方法。
【請求項３９】
電子機器の動作電力を管理する動作電力管理装置において、
上記電子機器に接続され、該電子機器に上記動作電力を供給するバッテリパックと、
上記バッテリパックを、シングルセル実装とマルチセル実装のうちの１つで、二者択一的に管理するバッテリコントローラとを備え、
上記バッテリコントローラは、当該バッテリコントローラをシングルセル実装で動作させる内部コントローラ電源を供給するチャージポンプを有し、
上記バッテリパックは、充電器と当該バッテリパックの１つ以上のバッテリセルとの間に直列に接続された充電スイッチ及び放電スイッチを有し、
上記バッテリコントローラは、充電増幅器及び放電増幅器に対して、負のチャージポンプ出力電圧を発生する内部負チャージポンプを有し、
上記充電増幅器と上記放電増幅器は、それぞれ上記充電スイッチと上記放電スイッチのうちの対応する１つを完全にターンオンできる十分に高められた電圧を発生することを特徴とする動作電力管理装置。
【発明の詳細な説明】
【技術分野】
【０００１】
本発明は、一般的には、電子機器の動作電力を管理する技術に関し、より詳細には、電子機器のバッテリコントローラを効率的に構成する装置及び方法に関する。
【背景技術】
【０００２】
動作電力の効率的管理方法の実現は、現在の電子機器の設計者やメーカにとって重要な検討課題である。しかしながら、電子機器の動作電力の効率的な管理は、装置設計者にとっては相当な難問であろう。例えば、電力管理の機能及び性能の向上に対する要求が高まることにより、必要な装置処理能力が増加し、ハードウェアリソースの追加が要求されることがある。処理又はハードウェア要求の増加の結果として、製造コストが増加し、コストパフォーマンスが低下することにより、経済的悪影響が生じることもある。
【０００３】
さらに、様々な高度な電力管理を行うために装置能力を強化することにより、装置ユーザに付加的な利益をもたらすが、様々な装置コンポーネントの制御及び管理に対する要求も増大する。例えば、電子機器の動作電力の現在の残量を効率的に監視する電力管理装置の強化は、電子機器の残りの動作可能時間を機器ユーザに正確に示すことが重要であるので、効果的に実現することによって、利益をもたらす。
【０００４】
携帯型電子機器に関係した特定の動作環境において、バッテリパックがいつ完全に放電してしまうかを事前に知ることは、機器ユーザにとっては重要な問題である。例えば、画像データを捕捉するために、デジタルカメラ装置を使用しているときに、デジタルカメラ装置に十分な動作電力を供給できないと、新たな画像データを決定的な時点で捕捉することが、一時的にできない。
【発明の開示】
【発明が解決しようとする課題】
【０００５】
システムリソースに対する要求が高まり、及び十分な動作電力を電子機器に効率よく正確に供給することの重要性から、動作電力管理の新技術の開発が関連電子技術にとっての重要問題であることは明白である。したがって、上述した全ての理由から、動作電力管理のための効率的な装置の開発は、最新の電子機器の設計者、メーカ及びユーザにとっては依然として重要な検討課題である。
【課題を解決するための手段】
【０００６】
本発明に基づき、電子機器のバッテリコントローラを効率的に構成する装置及び方法が開示される。一実施の形態において、バッテリコントローラは、電子機器に動作電力を効率的に供給するバッテリパックの様々な機能を制御するシングルチップの集積回路として実現することができる。本発明の幾つかの実施の形態によれば、バッテリコントローラは、バッテリパックのシングルセル実装又はデュアルセル実装のうちのいずれかで選択的に制御する１つの集積回路として実装されている。
【０００７】
シングルセル実装のバッテリパックの場合、このバッテリパックは、低下したバッテリ電源電圧を出力し、バッテリコントローラは、チャージポンプを用いて、低下したバッテリ電源電圧を、バッテリコントローラを動作させるのに十分な内部コントローラ電源に変換することができる。したがって、バッテリコントローラは、上述したチャージポンプを効率的に用いて、元来電圧が低いシングルセル実装のバッテリパックのバッテリ電圧を補償することができる。
【０００８】
バッテリパックは、充電器とバッテリパック内の１つ以上のバッテリセルとの間に直列に接続された充電スイッチ及び放電スイッチを有している。ある条件の下では、バッテリコントローラは、バッテリパックの過放電状態を防止するために放電スイッチを開くことができる。さらに、バッテリコントローラは、他の条件の下で、バッテリパックの過充電状態を防止するために、充電スイッチを開くことができる。幾つかの実施の形態において、バッテリコントローラは、充電スイッチと放電スイッチが、ターンオンしたときに、十分に低いオン抵抗を示すように、駆動電圧を確保するため負の電圧を出力する、内部負チャージポンプを用いることができる。
【０００９】
バッテリコントローラの幾つかの実施の形態において、バッテリコントローラは、ＵＡＲＴを有し、バッテリコントローラと、適切な外部デバイス、例えば対応する電子機器のプロセッサとの間の様々な双方向通信を行うことができる。ＵＡＲＴは、バッテリコントローラを含む集積回路上の１つの送受信ピンを介して電子機器と通信するように、この集積回路に効率的に組み込まれている。さらに、ＵＡＲＴは、高精度のオンチップ命令発振器から、タイムベース信号を効率的に受信し、ＵＡＲＴの動作を同期させるＵＡＲＴクロック信号を高精度に生成する。少なくとも上述した理由から、本発明は、電子機器のバッテリコントローラを効率的に構成できる改良された装置及び方法を提供する。
【発明を実施するための最良の形態】
【００１０】
本発明は、電力管理技術の改良に関する。以下の説明は、当業者が発明することができるように提示され、特許出願とその要件との関連で提供される。開示した実施の形態に対する変更は、当業者には容易に理解することができ、ここにおける一般的な原理は、他の実施の形態にも適用することができる。したがって、本発明は、ここに示す実施の形態に限定することを意図したものではなく、ここに記述された原理と特徴と整合する最も広範囲を許容するものとする。
【００１１】
本発明は、電子機器の動作電力を効率的に管理する装置及び方法からなり、電子機器に接続され、この電子機器に動作電力を供給するバッテリパックを備える。バッテリコントローラは、１つの集積回路として構成され、バッテリパックを、シングルセル実装又はデュアルセル実装のうちのいずれかで二者択一的に管理することができる。シングルセル実装において、バッテリコントローラは、内部の制御回路に電源を供給するチャージポンプを有している。
【００１２】
図１は、本発明に係る一実施の形態における、電子回路システム（electronic system）１１０のブロック図である。図１の実施の形態において、電子回路システム１１０は、電子機器１１４と、バッテリパック１１８と、充電器１２２と、バッテリコントローラ３１０とを備えるが、これらに限定されるものではない。他の実施の形態において、電子回路システム１１０は、図１の実施の形態との関連で述べた構成要素に加えて、又はそれらの代わりに、様々な他の構成要素を備えてもよい。
【００１３】
図１の実施の形態において、電子機器１１４は、動作電力を受け取るために、正経路と負経路を介してバッテリパック１１８に接続されている。バッテリコントローラ３１０は、バッテリパック１１８に関して様々な電力管理機能を実行し、送受信（ＴＸＲＸ）経路を介して電子機器１１４と双方向通信を行うことができる。図１の実施の形態において、バッテリパック１１８内のバッテリ（１つ以上のバッテリセル）は、正充電経路と負充電経路を介して、バッテリパック１１８内のバッテリセルを再充電する充電器１２２に接続されている。電子回路システム１１０の動作及び利用に関しては、図２〜図７において後述する。
【００１４】
図２は、本発明に係る一実施の形態における、図１に示す電子機器１１４のブロック図である。図２に示す電子機器１１４は、デジタルカメラ装置として実現されたものである。しかしながら、他の実施の形態において、電子機器１１４は、動作電力を必要とする他のあらゆる種類の携帯型若しくは据置型電子機器又は電子装置として簡単に実現することができる。
【００１５】
図２の実施の形態において、電子機器１１４は、捕捉サブシステム２２２と、機器制御モジュール２１８とを備えるが、これらに限定されるものではない。他の実施の形態において、電子機器１１４は、図２の実施の形態で述べた構成要素に加えて、又はそれらの代わりに、様々な他の構成要素を備えてもよい。
【００１６】
図２の実施の形態において、電子機器１１４は、捕捉サブシステム２２２を用い、光路に沿って画像センサに入射する反射光によって、被写体に対応した画像データを選択的に捕捉することができる。この画像センサは、好ましくは、対象物体を表す一組の画像データを生成する電荷結合素子（ＣＣＤ）を備えている。そして、画像データは、バス２３８を介して、適切に処理及び記憶する機器制御モジュール２１８に送られる。
【００１７】
図２の実施の形態において、機器制御モジュール２１８は、プロセッサ２２６と、メモリ２３０と、１つ以上の入力／出力インタフェース（Ｉ／Ｏ）２３４とを備えるが、これらに限定されるものではない。プロセッサ２２６と、メモリ２３０と、Ｉ／Ｏ２３４とは、共通の機器バス２３８を介して互いに接続されており、また、機器バス２３８は、捕捉サブシステム２２２にも接続されている。図２の実施の形態において、プロセッサ２２６は、好ましくは、電子機器１１４を制御するあらゆる適切なマイクロプロセッサからなる。
【００１８】
メモリ２３０は、好ましくは、リードオンリメモリと、ランダムアクセスメモリと、様々な種類の不揮発性メモリ、例えばフロッピー（登録商標）ディスク装置及びハードディスク装置と、フラッシュメモリとを含む１つ以上の適切な記憶装置として実現してもよいが、これらに限定されるものではない。Ｉ／Ｏ２３４は、好ましくは、電子機器１１４と、装置ユーザ又は別の電子機器を含むあらゆる外部実体との間の双方向通信を容易にするのに有効な１つ以上のインタフェースを提供する。
【００１９】
図２の実施の形態において、メモリ２３０は、以下に限定されるものではないが、電子機器１１４の様々な機能及び動作を実行するために、プロセッサ２２６によって実行されるプログラム命令のカメラアプリケーションを記憶している。また、メモリ２３０は、電子機器１１４の低レベルの機能を、好ましくは、制御及び調整するカメラ用のオペレーティングシステムを記憶している。
【００２０】
図３は、本発明に係る一実施の形態における、図１に示すバッテリコントローラ３１０のブロック図である。本発明の他の実施の形態において、バッテリコントローラ３１０は、様々な他の機器構成を有し、図３の実施の形態に関連して説明する素子及び機器構成に加えて、又はそれらの代わりに、様々な他の素子及び構成要素を有してもよい。
【００２１】
図３の実施の形態において、バッテリコントローラ３１０は、バッテリパック１１８（図１）に一体化されたシングルチップの集積回路である。図３の実施の形態において、バッテリコントローラ３１０は、中央演算処理装置（ＣＰＵ）３１４を備え、ＣＰＵ３１４は、バッテリコントローラ３１０の機能を制御する、適切なあらゆる種類のマイクロプロセッサからなる。例えば、ＣＰＵ３１４は、バッテリコントローラ３１０の動作を制御するために、プログラムメモリ３１８からのバッテリコントローラ命令を実行するＲＩＳＣプロセッサとして効果的に実現することができる。
【００２２】
図３の実施の形態において、バッテリコントローラ３１０は、アナログ／デジタル変換器（以下、Ａ／ＤＣともいう。）モジュール３２２と、残量計モジュール３２６と、汎用非同期送受信機（Universal Asynchronous Receiver/Transmitter、以下、ＵＡＲＴという。）３３４と、リニアブロック３３６と、命令発振器３３８と、チャージポンプ３４２とを備えるが、これらに限定されるものではない。図３の実施の形態において、バッテリコントローラ３１０は、Ａ／ＤＣモジュール３２２を用いて、バッテリパック１１８（図１）の１つ以上のバッテリセルからのバッテリ電圧を監視することができる。そして、ＣＰＵ３１４は、バッテリパック１１８内の動作電力の現在の残量を計算するバッテリ容量アルゴリズムの入力値として、この測定されたバッテリ電圧を用いることができる。同様に、バッテリコントローラ３１０は、残量計モジュール３２６を用いて、バッテリパック１１８のバッテリセルとの間で流れる電流を監視し、電流値を、このバッテリ容量アルゴリズムの他の入力パラメータとして用いることができる。
【００２３】
図３の実施の形態において、バッテリコントローラ３１０は、ＵＡＲＴ３３４及び命令発振器３３８を用いて、バッテリコントローラ３１０と適切な外部実体との間で、図７に関連して更に後述するように、様々な双方向通信を行うことができる。図３の実施の形態において、バッテリコントローラ３１０は、リニアブロック３３６（リニア電圧レギュレータ）及びチャージポンプ３４２を用いて、バッテリコントローラ３１０の様々なアナログ回路及びデジタル回路を動作させる内部コントローラ電源を供給することができる。リニアブロック３３６とチャージポンプ３４２の構成及び利用に関しては、図４及び図５に関連して更に後述する。
【００２４】
図４は、一実施の形態における図１に示すバッテリパック１１８のうちの一部の構成要素を示すブロック図である。他の実施の形態において、バッテリパック１１８は、図４の実施の形態で説明するものに加えて、又はそれらの代わりに、様々な構成要素及び機器構成を有してもよい。
【００２５】
図４の実施の形態において、バッテリパック１１８は、バッテリコントローラ３１０（図１）と、２つのバッテリセルを実装したバッテリ４５４とを備える。幾つかの実施の形態において、これらのバッテリセルは、リチウムイオンバッテリセルであり、完全に充電されたときには、それぞれ約４．２Ｖ（ボルト）を供給し、全体で約８．４Ｖの電圧を発生する。
【００２６】
図４の実施の形態において、バッテリパック１１８は、バッテリパック１１８の正充電経路に直列に接続された充電スイッチ４２２及び放電スイッチ４５８を備え、充電スイッチ４２２は、正充電器端子（ＰＣＫＰ）４１４に直接接続されており、放電スイッチ４５８は、バッテリ４５４の正側に接続されている。図４の実施の形態において、充電スイッチ４２２と放電スイッチ４５８の両方は、Ｐチャネル電界効果トランジスタ（ＦＥＴ）であってもよい。さらに、図４の実施の形態において、充電スイッチ４２２には、ボディダイオード４２６を並列に接続することができ、放電スイッチ４５８には、ボディダイオード４６２を並列に接続することができる。
【００２７】
動作において、バッテリ４５４が過放電し、最低電圧レベル以下に下がることによって、バッテリ４５４が永久的に損傷を受けることを回避するために、バッテリコントローラ３１０は、放電スイッチ４５８を開放する。さらに、バッテリ４５４が過充電し、最高電圧レベル以上に上がることによって、バッテリ４５４の過充電に起因したある危険な状態を回避するために、バッテリコントローラ３１０は、充電スイッチ４２２を開放する。
【００２８】
幾つかの他の実施の形態において、充電スイッチ４２２及び放電スイッチ４５８は、上述のＰチャネルＦＥＴの代わりに、バッテリパック１１８の負充電経路に直列に接続されたＮチャネル電界効果トランジスタ（ＦＥＴ）を用いて構成することができ、この場合、充電スイッチ４２２は、負充電器端子（ＰＣＮＫ）４１８に直接接続され、放電スイッチ４５８は、バッテリ４５４の負側に接続される。
【００２９】
図４の実施の形態において、バッテリコントローラ３１０は、バッテリパック１１８のスタートアップ手順及びシャットダウン手順を効果的に調整することができる。実際には、バッテリ４５４が放電状態にあるとき、機器ユーザは、充電器１２２（図１）をＰＣＫＰ４１４とＰＣＫＮ４１８とに接続し、これによって、上述のスタートアップ手順を開始することができる。バッテリコントローラ３１０は、ＰＣＫＰ４１４における充電器電圧を利用して、充電スイッチ４２２をターンオンし、そして、充電スイッチ４２２は、充電器電圧を、ＬＤＯＩピン４３８を介して充電器レギュレータ（ＬＤＯＩ ＬＤＯ）４４２の入力に供給する。
【００３０】
したがって、ＣＰＵ３１４が、バッテリパック１１８の動作を制御するバッテリコントローラ命令の実行を開始できるように、充電器レギュレータ４４２は、安定化された内部コントローラ電源４４６を出力する。さらに、ＣＰＵ３１４は、バッテリ４５４が放電できるように、放電スイッチ４５８をターンオンさせる。図４の実施の形態において、さらに、ＣＰＵ３１４は、ＢＡＴＴＯＮ線４５０を用いて、充電器レギュレータ４４２からバッテリレギュレータ（ＢＡＴＴ ＬＤＯ）４７４に切り換え、そして、バッテリレギュレータ４７４は、ＢＡＴＴピン４７０からのバッテリ電圧を安定化し、これによって、バッテリコントローラ３１０を動作させる内部コントローラ電源４４６を供給する。
【００３１】
バッテリ４５４が充電された後、電子機器１１４（図１）を制限なく使用するために、バッテリパック１１８を取り外すことができ、そして、電子機器１１４は、バッテリ４５４によって動作電力が供給される。ＣＰＵ３１４は、バッテリコントローラ３１０のＡ／ＤＣモジュール３２２（図３）を用いて、放電中のバッテリ４５４を監視する。バッテリ４５４が、所定の放電電圧レベルに達したとき、ＣＰＵ３１４は、バッテリパック１１８のシャットダウン手順を開始する。例えば、ＣＰＵ３１４は、放電スイッチ４５８を開くとともに、ＢＡＴＴＯＮ線４５０を切り換えて、バッテリコントローラ３１０を内部コントローラ電源４４６の充電器レギュレータ４４２に戻すことができる。充電器１２２がバッテリパック１１８に接続されていなく、そして、バッテリコントローラ３１０の内部コントローラ電源４４６が、リセット閾値以下に低下している場合、充電器１２２が接続されるまで、バッテリパック１１８は、シャットダウン状態に入り、上述したスタートアップ手順を繰り返す。
【００３２】
幾つかの実施の形態においては、１つのバッテリセルを実装するのが望ましい又は効率的である場合がある。しかしながら、このようなシングルセル実装の場合、バッテリレギュレータ４７４を駆動するためのバッテリ電圧の半分の電圧しか供給されず、したがって、バッテリコントローラ３１０の内部コントローラ電源４４６には、大きな電圧低下が起こる。したがって、バッテリパック１１８のアナログ回路及びデジタル回路は、適切に機能するために必要な動作電圧が不足する。バッテリパック１１８の有効なシングルセル実装の一実施の形態を以下に図５を用いて説明する。
【００３３】
図５は、本発明に係る一実施の形態であり、図１におけるバッテリパック１１８において一部の構成要素を選択したものの概略図である。他の実施の形態において、本発明は、図５の実施の形態で説明するものに加えて、又はそれらの代わりに、様々な構成要素及び機器構成を有してもよい。
【００３４】
図５の実施の形態において、バッテリパック１１８は、バッテリコントローラ３１０（図１）と、１つのバッテリセルを用いたバッテリ４５４とを備える。バッテリ４５４のシングルセル実装は、様々な要因、例えば、バッテリパック１１８の製造コストのダウン、小型化、軽量化といった観点から選択される。幾つかの実施の形態において、バッテリセルは、完全に充電されたときには約４．２Ｖを供給するリチウムイオンバッテリセルとして、実現することができる。
【００３５】
図５の実施の形態において、また、バッテリパック１１８は、バッテリパック１１８の正充電経路に直列に接続された充電スイッチ４２２及び放電スイッチ４５８を備え、充電スイッチ４２２は、正充電器端子（ＰＣＫＰ）４１４に直接接続されており、放電スイッチ４５８は、バッテリ４５４の正側に接続されている。図５の実施の形態において、充電スイッチ４２２と放電スイッチ４５８の両方は、Ｐチャネル電界効果トランジスタ（ＦＥＴ）であってもよい。さらに、図５の実施の形態において、充電スイッチ４２２には、ボディダイオード４２６を並列に接続することができ、放電スイッチ４５８には、ボディダイオード４６２を並列に接続することができる。
【００３６】
動作において、バッテリ４５４が過放電し、最低電圧レベル以下に下がることによって、バッテリ４５４が永久的に損傷を受けることを回避するために、バッテリコントローラ３１０は、放電スイッチ４５８を開放する。さらに、バッテリ４５４が過充電し、最高電圧レベル以上に上がることによって、バッテリ４５４の過充電に起因したある危険な状態を回避するために、バッテリコントローラ３１０は、充電スイッチ４２２を開放する。幾つかの他の実施の形態において、充電スイッチ４２２及び放電スイッチ４５８は、上述のＰチャネルＦＥＴの代わりに、バッテリパック１１８の負充電経路に直列に接続されたＮチャネル電界効果トランジスタ（ＦＥＴ）を用いて構成することができ、この場合、充電スイッチ４２２は、負充電器端子（ＰＣＮＫ）４１８に直接接続され、放電スイッチ４５８は、バッテリ４５４の負側に接続される。
【００３７】
図５の実施の形態において、バッテリコントローラ３１０は、バッテリパック１１８のスタートアップ手順及びシャットダウン手順を効果的に調整することができる。実際には、バッテリ４５４が放電状態にあるとき、機器ユーザは、充電器１２２（図１）をＰＣＫＰ４１４とＰＣＫＮ４１８とに接続し、これによって、上述のスタートアップ手順を開始することができる。バッテリコントローラ３１０は、ＰＣＫＰ４１４における充電器電圧を利用して、充電スイッチ４２２をターンオンし、そして、充電スイッチ４２２は、充電器電圧を、ＣＰＩ０ピン５１８を介してチャージポンプ３４２の充電器入力（ＩＮＯ）に接続する。
【００３８】
本発明に基づくバッテリコントローラ３１０は、チャージポンプ３４２を用い、チャージポンプ３４２は、２つの選択可能なチャージポンプ入力のうちのどちらかに供給される電圧レベルを適切に安定化し、何らかの適切な手段を用いることによって、所望のチャージポンプ出力電圧を発生する。図５に示す実施の形態において、チャージポンプ３４２は、チャージポンプ入力電圧が所望のチャージポンプ出力電圧に対してどの程度低いかに応じて、１Ｘモード、１．５Ｘモード又は２Ｘモードのいずれかで動作する。１Ｘモードにおいては、チャージポンプ出力電圧は、チャージポンプ入力電圧に略等しい。１．５Ｘモードにおいては、チャージポンプ出力電圧は、チャージポンプ入力電圧の約１．５倍であり、２Ｘモードにおいては、チャージポンプ出力電圧は、チャージポンプ入力電圧の約２倍である。これらの選択可能なチャージポンプモードは、チャージポンプ３４２の入力であるＣＰＩ０ピン５１８及びＣＰＩ１ピン５２２に接続された専用の電圧コンパレータによって制御され、これにより、不必要に高い動作電圧をバッテリコントローラ３１０に供給することが原因の不必要な電流消費を抑えることができる。
【００３９】
図５の実施の形態において、チャージポンプ３４２は、チャージポンプ出力電圧を、ＣＰＯピン５２６及びＬＤＯＩピン４３８を介して充電器レギュレータ（ＬＤＯＩ ＬＤＯ）４４２の入力に供給する。図５の実施の形態において、上述のチャージポンプ出力電圧は、約４Ｖである。そして、ＣＰＵ３１４が、バッテリパック１１８の動作を制御するバッテリコントローラ命令の実行を開始できるように、充電器レギュレータ４４２は、チャージポンプ出力電圧を平滑して、クリーンで安定化された内部コントローラ電源４４６を供給する。
【００４０】
さらに、ＣＰＵ３１４は、バッテリ４５４が放電できるように、放電スイッチ４５８をターンオンさせる。図５の実施の形態において、さらに、ＣＰＵ３１４は、ＣＰＳＥＬ線５３０を用いて、チャージポンプ３４２の充電器入力（ＩＮ０）からチャージポンプ３４２のバッテリ入力（ＩＮ１）に切り換えることができる。そして、チャージポンプ３４２は、ＣＰＩ１ピン５２２から入力されたバッテリ電圧を安定化し、これによって、チャージポンプ出力電圧をＣＰＯピン５２６において発生する。図５の実施の形態においては、ＣＰＯピン５２６におけるチャージポンプ出力電圧は、約４Ｖである。したがって、バッテリコントローラ３１０は、チャージポンプ３４２を効率的に用いて、バッテリ４５４のシングルセル実装による低いバッテリ電圧を補償することができる。そして、上述したように、充電器レギュレータ４４２は、チャージポンプ出力電圧を用いて、バッテリコントローラ３１０を動作させる内部コントローラ電源４４６を発生する。
【００４１】
図５の実施の形態においては、ＣＰＵ３１４は、ＢＡＴＴＯＮ線４５０を、充電器レギュレータ４４２が内部コントローラ電源４４６を供給するように永久に選択する値に維持することができる。図５に示すシングルセル実装においては、バッテリレギュレータ４７４は、通常、使用されない。しかしながら、バッテリコントローラ３１０は、バッテリレギュレータ４７４と、図４に関連して説明したバッテリパック１１８のデュアルセル実装又は図５に関連して説明したシングルセル実装のいずれかにおけるバッテリコントローラ３１０を用いるのに必要な他の関連する構成要素とを備える１つの集積回路として、構成することができる。図５の実施の形態において、バッテリコントローラ３１０のシングルセルモード又はデュアルセルモードの選択は、バッテリコントローラ３１０の集積回路の接続ピンがどのように接続されるかによって、決定される。
【００４２】
図５の実施の形態において、バッテリ４５４が充電された後、電子機器１１４（図１）を制限なく使用するために、充電器１２２を取り外すことができ、そして、電子機器１１４は、バッテリ４５４によって動作電力が供給される。ＣＰＵ３１４は、バッテリコントローラ３１０のＡ／Ｄモジュール３２２（図３）を用いて、放電中のバッテリ４５４を監視する。バッテリ４５４が、所定の放電電圧レベルに達したとき、ＣＰＵ３１４は、バッテリパック１１８のシャットダウン手順を開始する。
【００４３】
例えば、ＣＰＵ３１４は、充電器１２２から充電器電圧を用いるために、放電スイッチ４５８を開くとともに、ＣＰＳＥＬ線５３０を切り換えて、バッテリコントローラ３１０をチャージポンプ３４２の充電器入力（ＩＮ０）に戻し、内部コントローラ電源４４６を生成する。充電器１２２がバッテリパック１１８に接続されていなく、そして、バッテリコントローラ３１０の内部コントローラ電源４４６が、リセット閾値以下に低下している場合、充電器１２２が接続されるまで、バッテリパック１１８は、シャットダウン状態に入り、上述したスタートアップ手順を繰り返す。
【００４４】
本発明に基づくチャージポンプ３４２及びバッテリコントローラ３１０の他の回路は、シャットダウンモード中のバッテリ４５４から流出する漏洩電流を防ぐように構成されている。さらに、放電スイッチ４５８を開くことにより、正充電端子（ＰＣＫＰ）４１４からバッテリが効果的に切り離され、充電経路を介する電流漏れをなくす。したがって、バッテリパック１１８では、シャットダウンモード中のバッテリ４５４からのシャットダウン電流を０μＡとすることができる。
【００４５】
図４と図５を用いて、シングルセル実装とデュアルセル実装について説明した。しかしながら、本発明の原理と概念は、特定のバッテリパックにおいてセル数を減らした場合あるいはセル数を増やした場合にバッテリコントローラの動作電圧が変動する可能性のある環境において使用できる設計のバッテリコントローラにも簡単に適用することができる。少なくとも上述の理由から、本発明は、電子機器１１４のバッテリコントローラ３１０を効率的に構成する改良された装置及び方法を提供する。
【００４６】
図６は、本発明に係る一実施の形態における図１に示すバッテリパック１１８の概略図である。他の実施の形態において、本発明は、図６の実施の形態で説明するものに加えて、又はそれらの代わりに、様々な構成要素及び機器構成を容易に用いることができる。
【００４７】
バッテリパック１１８の幾つかの実施の形態において、バッテリコントローラ３１０は、充電スイッチ４２２をターンオンさせるために高められた電圧（enhancement voltage）を、ＣＨＧピン４３４を介して充電スイッチ４２２に供給することができる。同様に、バッテリコントローラ３１０は、放電スイッチ４５８をターンオンさせるために高められた電圧を、ＤＩＳピン４６６を介して放電スイッチ４５８に供給することができる。しかしながら、図５に関連して説明したように、バッテリ４５４をシングルバッテリセルで構成し、そして、充電スイッチ４２２及び放電スイッチ４５８のゲートを、０Ｖの接地電位に引っ張ったとしても、充電スイッチ４２２及び放電スイッチ４５８を完全にターンオンさせるのに十分に高められた電圧を得ることができない。
【００４８】
図６の実施の形態において、バッテリコントローラ３１０は、充電増幅器６５６を用いて、充電スイッチ４２２をターンオンさせるために高められた電圧を、ＣＨＧピン４３４を介して充電スイッチ４２２に供給する。同様に、バッテリコントローラ３１０は、放電増幅器６５２を用いて、放電スイッチ４５８をターンオンさせるために高められた電圧を、ＤＩＳピン４６６を介して放電スイッチ４５８に供給する。充電増幅器６５６には、ＰＣＫＰピン４３０を介して充電器１２２から正の電圧が供給され、放電増幅器６５２には、ＢＡＴＴピン４７０を介してバッテリ４５４から正の電圧が供給される。図６の実施の形態において、正の電圧は、完全に放電したバッテリセルの場合、通常、約２Ｖである。
【００４９】
充電増幅器６５６及び放電増幅器６５２を接地する代わりに、図６の実施の形態においては、充電増幅器６５６及び放電増幅器６５２を、バッテリコントローラ３１０内の内部負チャージポンプ６１４の負出力６４８に接続している。図６の実施の形態において、内部負チャージポンプ６１４は、負出力６４８として、−２Ｖを供給することができる。したがって、充電増幅器６５６と放電増幅器６５２は、それぞれ最低約４Ｖの高められた電圧を発生し、充電スイッチ４２２及び放電スイッチ４５８は、ターンオンしたときに、十分に低いオン抵抗を示すことができる。
【００５０】
図６の実施の形態において、位相１（ＰＨ１）スイッチ６２２及び位相１（ＰＨ１）スイッチ６２８は、閉じて、バッテリコントローラ３１０のチャージポンプ３４２（図５参照）からＣＰＯピン５２６を介したチャージポンプ出力電圧によって、コンデンサ６１８を充電する。そして、位相１スイッチ６２２及び位相１スイッチ６２８は、開き、位相０（ＰＨ０）スイッチ６３６及び位相０（ＰＨ０）スイッチ６４０は、閉じて、内部負チャージポンプ６１４からの負のチャージポンプ出力（ＮＥＧ）６４４を、充電増幅器６５６と放電増幅器６５２の両方に供給する。図６の実施の形態において、バッテリコントローラ３１０のＣＰＵ３１４は、ＮＥＧＯＮ線６６０を用いて、内部負チャージポンプ６１４を動作又は停止させることができる。
【００５１】
図４及び図５に関連して上述したように、幾つかの実施の形態において、充電スイッチ４２２及び放電スイッチ４５８は、ＰチャネルＦＥＴに代えて、バッテリパック１１８の負充電経路に直列に接続されたＮチャネル電界効果トランジスタ（ＦＥＴ）を用いて構成することができ、この場合、充電スイッチ４２２は、負充電器端子（ＰＣＮＫ）４１８に直接接続され、放電スイッチ４５８は、バッテリ４５４の負側に接続される。充電スイッチ４２２及び放電スイッチ４５８にＮチャネル電界効果トランジスタを使用する実施の形態においては、バッテリコントローラ３１０は、ＣＰＯピン５２６上のチャージポンプ３４２（図５）のチャージポンプ出力電圧を効果的に用いて、充電スイッチ４２２及び放電スイッチ４５８を完全にターンオンできる十分に高められた電圧を発生することができるので、バッテリコントローラ３１０は、図５に関連して述べた内部負チャージポンプ６１４を必要としない。
【００５２】
図７は、図３に示す、本発明に基づくＵＡＲＴ３３４の一実施の形態の概略図である。他の実施の形態において、本発明は、図７の実施の形態で説明するものに加えて、又はそれらの代わりに、様々な構成要素及び機器構成を容易に用いることができる。図７の実施の形態において、バッテリコントローラ３１０は、ＵＡＲＴ３３４を用いて、バッテリコントローラ３１０と、適切な外部デバイス、例えば電子機器１１４のプロセッサ２２６との間で様々な双方向通信を行うことができる。
【００５３】
図７の実施の形態において、ＵＡＲＴ３３４は、バッテリコントローラ３１０を含む集積回路上の１つの送受信（ＴＸＲＸ）ピンを介して、電子機器１１４と通信を行うように構成されている。したがって、このシングルピンＵＡＲＴインタフェースにより、バッテリコントローラ３１０の集積回路上の利用可能な接続ピンを節約することができる。図７の実施の形態において、電子機器１１４は、情報を、ＳＯ（ＴＸ）線７２６を介してＴＸＲＸピンに伝送することができる。そして、ＵＡＲＴ３３４は、ＴＸＲＸピンからの伝送情報を、ＲＸ線７１４を介して受信することができる。反対に、ＵＡＲＴ３３４は、情報を、ＴＸ線７１８を介してＴＸＲＸピンに伝送することができる。そして、電子機器１１４は、ＴＸＲＸピンからの伝送情報を、ＳＩ（ＲＸ）線７２２を介して受信することができる。
【００５４】
図７の実施の形態において、ＵＡＲＴ３３４は、バッテリコントローラ３１０のＵＡＲＴクロック信号を正確に発生する命令発振器３３８から、タイムベース信号（timebase signal）が供給され、ＵＡＲＴ３３４内の動作を同期させる。命令発振器３３８は、バッテリコントローラ３１０の集積回路にオンボードで搭載された高精度のタイムベース回路を備えるので、ＵＡＲＴ３３４は、タイムベース信号を発生する外付け（off-chip）の水晶発振器を必要としない。さらに、図７に示すＵＡＲＴ３３４の実装において、そのような外付けのタイムベース信号源を接続するための余分な接続も不要である。
【００５５】
幾つかの実施の形態との関連において本発明について説明した。本開示からして、他の実施の形態が当業者には明らかである。例えば、本発明は、実施の形態に記載した以外の機器構成や技術を使用しても簡単に実現することができる。さらに、本発明は、上述した以外の装置との組合せによっても効率的に使用することができる。したがって、これらの他の実施の形態及び上述した実施の形態以外の他の実施の形態も本発明に包含されるものとし、本発明は添付の特許請求の範囲によってのみ限定される。
【図面の簡単な説明】
【００５６】
【図１】本発明に基づく電子回路システムの一実施の形態のブロック図である。
【図２】本発明に基づく図１の電子機器の一実施の形態のブロック図である。
【図３】本発明に基づく図１のバッテリコントローラの一実施の形態のブロック図である。
【図４】図１のバッテリパックの一実施の形態の構成要素の概略図である。
【図５】本発明に基づく図１のバッテリパックの一実施の形態の構成要素の概略図である。
【図６】本発明に基づく図１のバッテリパックの一実施の形態の構成要素の概略図である。
【図７】本発明に基づく図３のＵＡＲＴの一実施の形態の構成要素の概略図である。
【図１】
0004848284.tif 000002
【図２】
0004848284.tif 000003
【図３】
0004848284.tif 000004
【図４】
0004848284.tif 000005
【図５】
0004848284.tif 000006
【図６】
0004848284.tif 000007
【図７】
0004848284.tif 000008